(57)【要約】  水域（１０）の水面（１０Ａ）に沿って少なくとも１つの波（１６）を発生させるための波発生組立体（２１２）は、駆動システム（２１８）と、波発生装置（２１４）とを含む。波発生装置（２１４）は、駆動システム（２１８）に結合される。駆動システム（２１８）は、第１位置と第２位置との間で波発生装置（２１４）を動かすように構成される。波発生装置（２１４）は、（ｉ）駆動システム（２１８）によって係合される発生装置シャフト（２２６）と、（ｉｉ）発生装置シャフト（２２６）に接続され、且つ発生装置シャフト（２２６）から離れて延在する発生装置頭部（２２８）とを含む。発生装置頭部（２２８）は、少なくとも１つの波生成面（２３０）を有する遠位端（２２８Ｂ）を含む。少なくとも１つの波生成面（２３０）は、水域（１０）の水面（１０Ａ）に沿って少なくとも１つの波（１６）を発生させるために第１位置から第２位置に動かされるときに水面（１０Ａ）において水を移動させる。【選択図】図１
2020507701.tif 000002
【特許請求の範囲】
【請求項１】
水域の水面に沿って少なくとも１つの波を発生させるための波発生組立体であって、
駆動システムと、
前記駆動システムに結合される波発生装置と、を含み、
前記駆動システムは、第１位置と第２位置との間で前記波発生装置を動かすように構成され、前記波発生装置は、（ｉ）前記駆動システムによって係合される発生装置シャフトと、（ｉｉ）前記発生装置シャフトに接続され、且つ前記発生装置シャフトから離れて延在する発生装置頭部と、を含み、前記発生装置頭部は、前記発生装置シャフトに接続される近位端及び反対側の遠位端を含み、前記遠位端は、少なくとも１つの波生成面を含み、前記波発生装置が前記第１位置にあるとき、前記発生装置頭部の前記遠位端は、前記水面の下にあり、前記波発生装置が前記第２位置にあるとき、前記発生装置頭部の前記遠位端は、ほぼ前記水面にあり、前記少なくとも１つの波生成面は、前記水域の前記水面に沿って前記少なくとも１つの波を発生させるために前記第１位置から前記第２位置に動かされるときに前記水面において水を移動させる、波発生組立体。
【請求項２】
前記駆動システムは、前記波発生装置に直接結合される、請求項１に記載の波発生組立体。
【請求項３】
前記駆動システムは、前記波発生装置に間接的に結合される、請求項１に記載の波発生組立体。
【請求項４】
枢支点で枢動支持部によって支持される枢動アームを更に含み、前記枢動アームは、第１端部及び反対側の第２端部を含み、前記駆動システムは、前記枢動アームの前記第１端部に結合され、及び前記波発生装置は、前記枢動アームの前記第２端部に結合され、前記駆動システムが前記枢動アームの前記第１端部を第１方向に動かすと、前記枢動アームの前記第２端部及び前記波発生装置は、前記波発生装置を前記第１位置から前記第２位置に動かすために、前記第１方向と実質的に反対の第２方向に動く、請求項３に記載の波発生組立体。
【請求項５】
前記波発生装置は、前記水域内で実質的に中心に位置付けられる、請求項１に記載の波発生組立体。
【請求項６】
前記水域は、前記波発生装置から離れて延在する複数の区分に分割され、前記波発生装置は、前記波発生装置から離れて半径方向に前記複数の区分のそれぞれにおいて伝搬する、前記水域の前記水面に沿った複数の波を発生させるように構成される、請求項５に記載の波発生組立体。
【請求項７】
前記波発生装置は、正浮力である、請求項１に記載の波発生組立体。
【請求項８】
前記波発生装置を実質的に取り囲むように選択的に位置付けられる複数の可動障壁を更に含み、前記複数の可動障壁は、前記波発生装置によって発生された波エネルギーを調節するために前記波発生装置に対して可動である、請求項１に記載の波発生組立体。
【請求項９】
処理装置を含む制御システムを更に含み、前記制御システムは、前記第１位置と前記第２位置との間で前記波発生装置を動かすために前記駆動システムを制御するように構成される、請求項１に記載の波発生組立体。
【請求項１０】
前記波発生装置は、前記波発生装置から離れて半径方向に複数の方向に伝搬する、前記水域の前記水面に沿った複数の波を発生させるように構成される、請求項１に記載の波発生組立体。
【請求項１１】
請求項１に記載の波発生組立体を利用する、波を発生させる方法。
【請求項１２】
水域の水面に沿って少なくとも１つの波を発生させるための波発生組立体であって、
駆動システムと、
前記駆動システムに結合される波発生装置と、を含み、
前記駆動システムは、第１位置と第２位置との間で前記波発生装置を動かすように構成され、前記波発生装置は、（ｉ）前記駆動システムによって係合される発生装置シャフトと、（ｉｉ）前記発生装置シャフトに接続され、且つ前記発生装置シャフトから離れて延在する発生装置頭部とを含み、前記発生装置頭部は、前記発生装置シャフトに接続される近位端及び反対側の遠位端を含み、前記遠位端は、少なくとも１つの第１波生成面を含み、及び前記近位端は、少なくとも１つの第２波生成面を含み、前記波発生装置が前記第１位置にあるとき、前記発生装置頭部の前記遠位端は、前記水面の下にあり、前記波発生装置が前記第２位置にあるとき、前記発生装置頭部の前記近位端は、前記水面の上にあり、前記少なくとも１つの第１波生成面は、前記発生装置頭部が、前記水域の前記水面に沿って少なくとも１つの波を発生させるために前記第１位置から前記第２位置に動かされるとき、前記水面において水を移動させ、及び前記少なくとも１つの第２波生成面は、前記発生装置頭部が、前記水域の前記水面に沿って少なくとも１つの波を発生させるために前記第２位置から前記第１位置に動かされるとき、前記水面において水を移動させる、波発生組立体。
【請求項１３】
前記駆動システムは、前記波発生装置に直接結合される、請求項１２に記載の波発生組立体。
【請求項１４】
前記駆動システムは、前記波発生装置に間接的に結合される、請求項１２に記載の波発生組立体。
【請求項１５】
枢支点で枢動支持部によって支持される枢動アームを更に含み、前記枢動アームは、第１端部及び反対側の第２端部を含み、前記駆動システムは、前記枢動アームの前記第１端部に結合され、及び前記波発生装置は、前記枢動アームの前記第２端部に結合され、前記駆動システムが前記枢動アームの前記第１端部を第１方向に動かすと、前記枢動アームの前記第２端部及び前記波発生装置は、前記波発生装置を前記第１位置から前記第２位置に動かすために、前記第１方向と実質的に反対の第２方向に動く、請求項１４に記載の波発生組立体。
【請求項１６】
前記波発生装置は、前記水域内で実質的に中心に位置付けられる、請求項１２に記載の波発生組立体。
【請求項１７】
前記水域は、前記波発生装置から離れて延在する複数の区分に分割され、前記波発生装置は、前記波発生装置から離れて半径方向に前記複数の区分のそれぞれにおいて伝搬する、前記水域の前記水面に沿った複数の波を発生させるように構成される、請求項１６に記載の波発生組立体。
【請求項１８】
前記波発生装置は、正浮力である、請求項１２に記載の波発生組立体。
【請求項１９】
前記波発生装置を実質的に取り囲むように選択的に位置付けられる複数の可動障壁を更に含み、前記複数の可動障壁は、前記波発生装置によって発生された波エネルギーを調節するために前記波発生装置に対して可動である、請求項１２に記載の波発生組立体。
【請求項２０】
処理装置を含む制御システムを更に含み、前記制御システムは、前記第１位置と前記第２位置との間で前記波発生装置を動かすために前記駆動システムを制御するように構成される、請求項１２に記載の波発生組立体。
【請求項２１】
前記波発生装置は、前記波発生装置から離れて半径方向に複数の方向に伝搬する、前記水域の前記水面に沿った複数の波を発生させるように構成される、請求項１２に記載の波発生組立体。
【請求項２２】
請求項１２に記載の波発生組立体を利用する、波を発生させる方法。
【請求項２３】
水域の水面に沿って少なくとも１つの波を発生させるための波発生組立体であって、
駆動システムと、
前記駆動システムに結合される波発生装置と、を含み、
前記波発生装置は、ピストン、第１円筒及び第２円筒を含み、前記ピストンは、第１位置と第２位置との間で前記駆動システムによって前記第１円筒内に可動に位置付けられ、前記第１円筒は、少なくとも部分的に前記第２円筒内に位置付けられ、前記第１円筒は、前記水面の上に位置付けられる第１端部及び前記水面の下に位置付けられる第２端部を含み、及び前記第２円筒は、ほぼ前記水面に位置付けられる上縁部を含み、
前記ピストンが前記第１位置にあるとき、前記ピストンは、前記水面の上に位置付けられ、
前記ピストンが前記第２位置にあるとき、前記ピストンは、前記水面の下に位置付けられ、
前記第１位置から前記第２位置への前記ピストンの動きは、水を前記第１円筒から出て且つ前記第２円筒の下部内に駆動し、前記水は、前記第２円筒の基部により、前記第１円筒の外側で前記第２円筒の外縁部に向かって概ね上方の方向に向きを変えられ、前記水は、前記水域の前記水面に沿って前記少なくとも１つの波を発生させるために、上方に且つ前記第２円筒の前記上縁部を超えて前記第２円筒から出るように駆動される、波発生組立体。
【請求項２４】
前記駆動システムは、前記波発生装置に直接結合される、請求項２３に記載の波発生組立体。
【請求項２５】
前記駆動システムは、前記波発生装置に間接的に結合される、請求項２３に記載の波発生組立体。
【請求項２６】
枢支点で枢動支持部によって支持される枢動アームを更に含み、前記枢動アームは、第１端部及び反対側の第２端部を含み、前記駆動システムは、前記枢動アームの前記第１端部に結合され、及び前記波発生装置は、前記枢動アームの前記第２端部に結合され、前記駆動システムが前記枢動アームの前記第１端部を第１方向に動かすと、前記枢動アームの前記第２端部及び前記波発生装置は、前記波発生装置を前記第１位置から前記第２位置に動かすために、前記第１方向と実質的に反対の第２方向に動く、請求項２５に記載の波発生組立体。
【請求項２７】
前記波発生装置は、前記水域内で実質的に中心に位置付けられる、請求項２３に記載の波発生組立体。
【請求項２８】
前記水域は、前記波発生装置から離れて延在する複数の区分に分割され、前記波発生装置は、前記波発生装置から離れて半径方向に前記複数の区分のそれぞれにおいて伝搬する、前記水域の前記水面に沿った複数の波を発生させるように構成される、請求項２７に記載の波発生組立体。
【請求項２９】
前記波発生装置は、正浮力である、請求項２３に記載の波発生組立体。
【請求項３０】
前記波発生装置を実質的に取り囲むように選択的に位置付けられる複数の可動障壁を更に含み、前記複数の可動障壁は、前記波発生装置によって発生された波エネルギーを調節するために前記波発生装置に対して可動である、請求項２３に記載の波発生組立体。
【請求項３１】
処理装置を含む制御システムを更に含み、前記制御システムは、前記第１位置と前記第２位置との間で前記ピストンを動かすために前記駆動システムを制御するように構成される、請求項２３に記載の波発生組立体。
【請求項３２】
前記波発生装置は、前記波発生装置から離れて半径方向に複数の方向に伝搬する、前記水域の前記水面に沿った複数の波を発生させるように構成される、請求項２３に記載の波発生組立体。
【請求項３３】
請求項２３に記載の波発生組立体を利用する、波を発生させる方法。
【請求項３４】
水域の水面に沿って少なくとも１つの波を発生させるための波発生組立体であって、
駆動システムと、
前記駆動システムに結合される波発生装置と、を含み、
前記波発生装置は、ピストン及び円筒を含み、前記ピストンは、第１位置と第２位置との間で前記駆動システムによって前記円筒内に可動に位置付けられ、前記円筒は、前記水面の下に位置付けられ、前記円筒は、第１端部及び反対側の第２端部を含み、前記第１端部は、前記水面付近に位置付けられ、
前記ピストンが前記第１位置にあるとき、前記ピストンは、前記円筒の前記第２端部付近に位置付けられ、
前記ピストンが前記第２位置にあるとき、前記ピストンは、前記円筒の前記第１端部付近に位置付けられ、
前記第１位置から前記第２位置への前記ピストンの動きは、前記水域の前記水面に沿って前記少なくとも１つの波を発生させるために水を前記円筒の前記第１端部から出るように駆動する、波発生組立体。
【請求項３５】
前記駆動システムは、前記波発生装置に直接結合される、請求項３４に記載の波発生組立体。
【請求項３６】
前記駆動システムは、前記波発生装置に間接的に結合される、請求項３４に記載の波発生組立体。
【請求項３７】
枢支点で枢動支持部によって支持される枢動アームを更に含み、前記枢動アームは、第１端部及び反対側の第２端部を含み、前記駆動システムは、前記枢動アームの前記第１端部に結合され、及び前記波発生装置は、前記枢動アームの前記第２端部に結合され、前記駆動システムが前記枢動アームの前記第１端部を第１方向に動かすと、前記枢動アームの前記第２端部及び前記波発生装置は、前記波発生装置を前記第１位置から前記第２位置に動かすために、前記第１方向と実質的に反対の第２方向に動く、請求項３６に記載の波発生組立体。
【請求項３８】
前記波発生装置は、前記水域内で実質的に中心に位置付けられる、請求項３４に記載の波発生組立体。
【請求項３９】
前記水域は、前記波発生装置から離れて延在する複数の区分に分割され、前記波発生装置は、前記波発生装置から離れて半径方向に前記複数の区分のそれぞれにおいて伝搬する、前記水域の前記水面に沿った複数の波を発生させるように構成される、請求項３８に記載の波発生組立体。
【請求項４０】
前記波発生装置は、正浮力である、請求項３４に記載の波発生組立体。
【請求項４１】
前記波発生装置を実質的に取り囲むように選択的に位置付けられる複数の可動障壁を更に含み、前記複数の可動障壁は、前記波発生装置によって発生された波エネルギーを調節するために前記波発生装置に対して可動である、請求項３４に記載の波発生組立体。
【請求項４２】
処理装置を含む制御システムを更に含み、前記制御システムは、前記第１位置と前記第２位置との間で前記ピストンを動かすために前記駆動システムを制御するように構成される、請求項３４に記載の波発生組立体。
【請求項４３】
前記波発生装置は、前記波発生装置から離れて半径方向に複数の方向に伝搬する、前記水域の前記水面に沿った複数の波を発生させるように構成される、請求項３４に記載の波発生組立体。
【請求項４４】
請求項３４に記載の波発生組立体を利用する、波を発生させる方法。
【請求項４５】
水域の水面に沿って少なくとも１つの波を発生させるための波発生組立体であって、
駆動システムと、
前記駆動システムに結合される波発生装置と、を含み、
前記波発生装置は、ピストン、第１円筒及び第２円筒を含み、前記ピストンは、第１位置と第２位置との間で前記駆動システムによって前記第１円筒内に可動に位置付けられ、前記第１円筒は、少なくとも部分的に前記第２円筒内に位置付けられ、前記第１円筒は、前記水面の上に位置付けられる第１端部及び前記水面の下に位置付けられる第２端部を含み、及び前記第２円筒は、前記水面の上に位置付けられる上縁部、前記水面の下に位置付けられる基部及びほぼ前記水面に位置付けられる孔を含み、
前記ピストンが前記第１位置にあるとき、前記ピストンは、前記水面の上に位置付けられ、
前記ピストンが前記第２位置にあるとき、前記ピストンは、前記水面の下に位置付けられ、
前記第１位置から前記第２位置への前記ピストンの動きは、水を前記第１円筒から出て且つ前記第２円筒の下部内に駆動し、前記水は、前記第２円筒の基部により、前記第１円筒の外側で前記第２円筒の外縁部に向かって概ね上方の方向に向きを変えられ、前記水は、前記水域の前記水面に沿って前記少なくとも１つの波を発生させるために、上方に且つ前記第２円筒の前記孔を通して前記第２円筒から出るように駆動される、波発生組立体。
【請求項４６】
前記駆動システムは、前記波発生装置に直接結合される、請求項４５に記載の波発生組立体。
【請求項４７】
前記駆動システムは、前記波発生装置に間接的に結合される、請求項４５に記載の波発生組立体。
【請求項４８】
枢支点で枢動支持部によって支持される枢動アームを更に含み、前記枢動アームは、第１端部及び反対側の第２端部を含み、前記駆動システムは、前記枢動アームの前記第１端部に結合され、及び前記波発生装置は、前記枢動アームの前記第２端部に結合され、前記駆動システムが前記枢動アームの前記第１端部を第１方向に動かすと、前記枢動アームの前記第２端部及び前記波発生装置は、前記波発生装置を前記第１位置から前記第２位置に動かすために、前記第１方向と実質的に反対の第２方向に動く、請求項４７に記載の波発生組立体。
【請求項４９】
前記波発生装置は、前記水域内で実質的に中心に位置付けられる、請求項４５に記載の波発生組立体。
【請求項５０】
前記水域は、前記波発生装置から離れて延在する複数の区分に分割され、前記波発生装置は、前記波発生装置から離れて半径方向に前記複数の区分のそれぞれにおいて伝搬する、前記水域の前記水面に沿った複数の波を発生させるように構成される、請求項４９に記載の波発生組立体。
【請求項５１】
前記波発生装置は、正浮力である、請求項４５に記載の波発生組立体。
【請求項５２】
前記波発生装置を実質的に取り囲むように選択的に位置付けられる複数の可動障壁を更に含み、前記複数の可動障壁は、前記波発生装置によって発生された波エネルギーを調節するために前記波発生装置に対して可動である、請求項４５に記載の波発生組立体。
【請求項５３】
処理装置を含む制御システムを更に含み、前記制御システムは、前記第１位置と前記第２位置との間で前記ピストンを動かすために前記駆動システムを制御するように構成される、請求項４５に記載の波発生組立体。
【請求項５４】
前記波発生装置は、前記波発生装置から離れて半径方向に複数の方向に伝搬する、前記水域の前記水面に沿った複数の波を発生させるように構成される、請求項４５に記載の波発生組立体。
【請求項５５】
請求項４５に記載の波発生組立体を利用する、波を発生させる方法。
【請求項５６】
水域の水面に沿って少なくとも１つの波を発生させるための波発生組立体であって、
前記水域の前記水面に沿って前記少なくとも１つの波を発生させるために第１位置と第２位置との間で動く波発生装置と、
前記波発生装置に結合される駆動システムであって、前記第１位置と前記第２位置との間で前記波発生装置を動かす駆動システムと、
枢支点で枢動支持部によって支持される枢動アームであって、第１端部及び反対側の第２端部を含み、前記駆動システムは、前記枢動アームの前記第１端部に結合され、及び前記波発生装置は、前記枢動アームの前記第２端部に結合される、枢動アームと、を含み、
前記駆動システムが前記枢動アームの前記第１端部を第１方向に動かすと、前記枢動アームの前記第２端部及び前記波発生装置は、前記波発生装置を前記第１位置から前記第２位置に動かすために、前記第１方向と実質的に反対の第２方向に動く、波発生組立体。
【請求項５７】
前記駆動システムが前記枢動アームの前記第１端部を前記第２方向に動かすと、前記枢動アームの前記第２端部及び前記波発生装置は、前記波発生装置を前記第２位置から前記第１位置に動かすために前記第１方向に動く、請求項５６に記載の波発生組立体。
【請求項５８】
前記波発生装置は、正浮力である、請求項５６に記載の波発生組立体。
【請求項５９】
処理装置を含む制御システムを更に含み、前記制御システムは、前記第１位置と前記第２位置との間で前記波発生装置を動かすために前記駆動システムを制御するように構成される、請求項５６に記載の波発生組立体。
【請求項６０】
前記波発生装置は、前記波発生装置から離れて半径方向に複数の方向に伝搬する、前記水域の前記水面に沿った複数の波を発生させるように構成される、請求項５６に記載の波発生組立体。
【請求項６１】
請求項５６に記載の波発生組立体を利用する、波を発生させる方法。
【請求項６２】
水域の水面に沿って少なくとも１つの波を発生させるための波発生組立体であって、
前記水域の前記水面に沿って前記少なくとも１つの波を発生させるために第１位置と第２位置との間で動く波発生装置と、
前記波発生装置に結合される駆動システムであって、前記第１位置と前記第２位置との間で前記波発生装置を動かす駆動システムと、
前記波発生装置を実質的に取り囲むように選択的に位置付けられる複数の可動障壁であって、前記波発生装置によって発生された波エネルギーを調節するために前記波発生装置に対して可動である複数の可動障壁と、を含む波発生組立体。
【請求項６３】
前記波発生装置は、正浮力である、請求項６２に記載の波発生組立体。
【請求項６４】
処理装置を含む制御システムを更に含み、前記制御システムは、前記第１位置と前記第２位置との間で前記波発生装置を動かすために前記駆動システムを制御するように構成される、請求項６２に記載の波発生組立体。
【請求項６５】
前記波発生装置は、前記波発生装置から離れて半径方向に複数の方向に伝搬する、前記水域の前記水面に沿った複数の波を発生させるように構成される、請求項６２に記載の波発生組立体。
【請求項６６】
請求項６２に記載の波発生組立体を利用する、波を発生させる方法。
【発明の詳細な説明】
【技術分野】
【０００１】
関連出願
本出願は、２０１６年１２月２３日に「ASSEMBLY AND METHOD FOR GENERATING WAVES WITHIN A BODY OF WATER」の名称で出願された米国仮特許出願第６２／４３８，６６３号の優先権を主張する。許容される限り、米国仮特許出願第６２／４３８，６６３号の内容は、その全体が参照により本明細書に組み込まれる。
【背景技術】
【０００２】
世界中で数百万人の人々が、より従来のサーフィン、ブギーボーディング、スタンドアップパドルボーディング、ボディーサーフィン又は別のスタイルのサーフィンであろうとサーフィンのスポーツに参加している。人々がサーフィンをするより良い機会を有する場合、より多くの人々がサーフィンのスポーツに参加するであろうと考えられる。残念ながら、多くの人々に対する機会は、人々が暮らしている場所（サーフィンは、主に沿岸地域及び一部の湖のみでできる）及び人々が経験する気候条件（例えば、寒く強風の条件では、サーフィンは、ほとんどのサーファー及び潜在的なサーファーにあまり受け入れられず、特定の気候条件は、サーフィンに適した波の発生を事実上抑制する可能性がある）に基づいて限定される。波のプールは、より幅広い観客に波をもたらす手段として近年増々一般的になってきたが、既存の波のプール及び波のプールの技法は、典型的にはサーフィンのための多くの真の機会を提供しない。従って、サーフィンに適することができ、あらゆる可能な目的地に配置することができる、波を絶えず発生させるための組立体及び方法をもたらすことが望まれる。
【発明の概要】
【０００３】
本発明は、水域の水面に沿って少なくとも１つの波を発生させるための波発生組立体を対象とする。様々な実施形態において、波発生組立体は、駆動システム及び波発生装置を含む。波発生装置は、駆動システムに結合される。駆動システムは、第１位置と第２位置との間で波発生装置を動かすように構成される。波発生装置は、（ｉ）駆動システムによって係合される発生装置シャフトと、（ｉｉ）発生装置シャフトに接続され、且つ発生装置シャフトから離れて延在する発生装置頭部と、を含む。発生装置頭部は、発生装置シャフトに接続される近位端及び反対側の遠位端を含む。遠位端は、少なくとも１つの波生成面を含む。波発生装置が第１位置にあるとき、発生装置頭部の遠位端は、水面の下にある。加えて、波発生装置が第２位置にあるとき、発生装置頭部の遠位端は、ほぼ水面にある。少なくとも１つの波生成面は、水域の水面に沿って少なくとも１つの波を発生させるために第１位置から第２位置に動かされるときに水面において水を移動させる。特定の実施形態では、波発生装置は、波発生装置から離れて半径方向に複数の方向に伝搬する、水域の水面に沿った複数の波を発生させるように構成される。
【０００４】
一部の実施形態では、駆動システムは、波発生装置に直接結合される。代わりに、他の実施形態では、駆動システムは、波発生装置に間接的に結合される。一部のこのような代替実施形態では、波発生組立体は、枢支点で枢動支持部によって支持される枢動アームを更に含むことができる。枢動アームは、第１端部及び反対側の第２端部を含み、駆動システムは、枢動アームの第１端部に結合され、及び波発生装置は、枢動アームの第２端部に結合される。駆動システムが枢動アームの第１端部を第１方向に動かすと、枢動アームの第２端部及び波発生装置は、波発生装置を第１位置から第２位置に動かすために、第１方向と実質的に反対の第２方向に動く。
【０００５】
加えて、特定の実施形態では、波発生装置は、水域内で実質的に中心に位置付けられる。このような実施形態では、水域は、波発生装置から離れて延在する複数の区分に分割され得、波発生装置は、波発生装置から離れて半径方向に複数の区分のそれぞれにおいて伝搬する、水域の水面に沿った複数の波を発生させるように構成され得る。
【０００６】
更に一部の実施形態では、波発生装置は正浮力である。
【０００７】
なおも更に、一部の実施形態では、波発生組立体は、波発生装置を実質的に取り囲むように選択的に位置付けられる複数の可動障壁を更に含む。複数の可動障壁は、波発生装置によって発生された波エネルギーを調節するために波発生装置に対して可動である。
【０００８】
加えて、特定の実施形態では、波発生組立体は、処理装置を含む制御システムを更に含む。このような実施形態では、制御システムは、第１位置と第２位置との間で波発生装置を動かすために駆動システムを制御するように構成される。
【０００９】
本発明は、水域の水面に沿って少なくとも１つの波を発生させるための波発生組立体を更に対象とし、波発生組立体は、（Ａ）駆動システムと、（Ｂ）駆動システムに結合される波発生装置とを含み、駆動システムは、第１位置と第２位置との間で波発生装置を動かすように構成され、波発生装置は、（ｉ）駆動システムによって係合される発生装置シャフトと、（ｉｉ）発生装置シャフトに接続され、且つ発生装置シャフトから離れて延在する発生装置頭部とを含み、発生装置頭部は、発生装置シャフトに接続される近位端及び反対側の遠位端を含み、遠位端は、少なくとも１つの第１波生成面を含み、及び近位端は、少なくとも１つの第２波生成面を含み、波発生装置が第１位置にあるとき、発生装置頭部の遠位端は、水面の下にあり、波発生装置が第２位置にあるとき、発生装置頭部の近位端は、水面の上にあり、少なくとも１つの第１波生成面は、発生装置頭部が、水域の水面に沿って少なくとも１つの波を発生させるために第１位置から第２位置に動かされるとき、水面において水を移動させ、及び少なくとも１つの第２波生成面は、発生装置頭部が、水域の水面に沿って少なくとも１つの波を発生させるために第２位置から第１位置に動かされるとき、水面において水を移動させる。
【００１０】
加えて、本発明は、水域の水面に沿って少なくとも１つの波を発生させるための波発生組立体も対象とし、波発生組立体は、（Ａ）駆動システムと、（Ｂ）駆動システムに結合される波発生装置とを含み、波発生装置は、ピストン、第１円筒及び第２円筒を含み、ピストンは、第１位置と第２位置との間で駆動システムによって第１円筒内に可動に位置付けられ、第１円筒は、少なくとも部分的に第２円筒内に位置付けられ、第１円筒は、水面の上に位置付けられる第１端部及び水面の下に位置付けられる第２端部を含み、及び第２円筒は、ほぼ水面に位置付けられる上縁部を含み、ピストンが第１位置にあるとき、ピストンは、水面の上に位置付けられ、ピストンが第２位置にあるとき、ピストンは、水面の下に位置付けられ、第１位置から第２位置へのピストンの動きは、水を第１円筒から出て且つ第２円筒の下部内に駆動し、水は、第２円筒の基部により、第１円筒の外側で第２円筒の外縁部に向かって概ね上方の方向に向きを変えられ、水は、水域の水面に沿って少なくとも１つの波を発生させるために、上方に且つ第２円筒の上縁部を超えて第２円筒から出るように駆動する。
【００１１】
更に、本発明は、水域の水面に沿って少なくとも１つの波を発生させるための波発生組立体も対象とし、波発生組立体は、（Ａ）駆動システムと、（Ｂ）駆動システムに結合される波発生装置とを含み、波発生装置は、ピストン及び円筒を含み、ピストンは、第１位置と第２位置との間で駆動システムによって円筒内に可動に位置付けられ、円筒は、水面の下に位置付けられ、円筒は、第１端部及び反対側の第２端部を含み、第１端部は、水面付近に位置付けられ、ピストンが第１位置にあるとき、ピストンは、円筒の第２端部付近に位置付けられ、ピストンが第２位置にあるとき、ピストンは、円筒の第１端部付近に位置付けられ、第１位置から第２位置へのピストンの動きは、水域の水面に沿って少なくとも１つの波を発生させるために水を円筒の第１端部から出るように駆動する。
【００１２】
加えて、本発明は、水域の水面に沿って少なくとも１つの波を発生させるための波発生組立体を更に対象とし、波発生組立体は、（Ａ）駆動システムと、（Ｂ）駆動システムに結合される波発生装置とを含み、波発生装置は、ピストン、第１円筒及び第２円筒を含み、ピストンは、第１位置と第２位置との間で駆動システムによって第１円筒内に可動に位置付けられ、第１円筒は、少なくとも部分的に第２円筒内に位置付けられ、第１円筒は、水面の上に位置付けられる第１端部及び水面の下に位置付けられる第２端部を含み、及び第２円筒は、水面の上に位置付けられる上縁部、水面の下に位置付けられる基部及びほぼ水面に位置付けられる孔を含み、ピストンが第１位置にあるとき、ピストンは、水面の上に位置付けられ、ピストンが第２位置にあるとき、ピストンは、水面の下に位置付けられ、第１位置から第２位置へのピストンの動きは、水を第１円筒から出て且つ第２円筒の下部内に駆動し、水は、第２円筒の基部により、第１円筒の外側で第２円筒の外縁部に向かって概ね上方の方向に向きを変えられ、水は、水域の水面に沿って少なくとも１つの波を発生させるために、上方に且つ第２円筒の孔を通して第２円筒から出るように駆動される。
【００１３】
更に、本発明は、水域の水面に沿って少なくとも１つの波を発生させるための波発生組立体を対象とし、波発生組立体は、（ｉ）水域の水面に沿って少なくとも１つの波を発生させるために第１位置と第２位置との間で動く波発生装置と、（ｉｉ）波発生装置に結合される駆動システムであって、第１位置と第２位置との間で波発生装置を動かす駆動システムと、（ｉｉｉ）枢支点で枢動支持部によって支持される枢動アームであって、第１端部及び反対側の第２端部を有し、駆動システムは、枢動アームの第１端部に結合され、及び波発生装置は、枢動アームの第２端部に結合される、枢動アームと、を含み、駆動システムが枢動アームの第１端部を第１方向に動かすと、枢動アームの第２端部及び波発生装置は、波発生装置を第１位置から第２位置に動かすために、第１方向と実質的に反対の第２方向に動く。
【００１４】
なおも更に、本発明は、水域の水面に沿って少なくとも１つの波を発生させるための波発生組立体を対象とし、波発生組立体は、（ｉ）水域の水面に沿って少なくとも１つの波を発生させるために第１位置と第２位置との間で動く波発生装置と、（ｉｉ）波発生装置に結合される駆動システムであって、第１位置と第２位置との間で波発生装置を動かす駆動システムと、（ｉｉｉ）波発生装置を実質的に取り囲むように選択的に位置付けられる複数の可動障壁であって、波発生装置によって発生された波エネルギーを調節するために波発生装置に対して可動である複数の可動障壁と、を含む。
【００１５】
本発明の新規の特徴及び本発明自体は、その構造及びその作動の両方に関して、同様の参照特性が同様の部分を指す添付の説明と併せて添付図面から最も良く理解されるであろう。
【図面の簡単な説明】
【００１６】
【図１】水域及び本発明の特徴を有する波発生組立体を単純化した斜視図である。
【図２Ａ】波発生装置及び駆動システムを含む、波発生組立体の一実施形態の一部の斜視図である。
【図２Ｂ】図２Ａに例示した波発生組立体の一部を単純化した概略図である。
【図３】波発生装置の別の実施形態を単純化した概略図である。
【図４】波発生装置のなおも別の実施形態を単純化した概略図である。
【図５】波発生装置のなおも別の実施形態を単純化した概略図である。
【図６】波発生装置のまた別の実施形態を単純化した概略図である。
【図７】駆動システムの代替実施形態を含む、波発生組立体の別の実施形態の一部を単純化した概略図である。
【図８Ａ】波発生組立体の一部として含まれ得る複数の可動障壁を単純化した概略側面図である。
【図８Ｂ】図８Ａに例示した複数の可動障壁を単純化した概略上面図である。
【図９Ａ】波発生組立体の更に別の実施形態の一部を単純化した概略図であり、波発生組立体は、波発生装置及び駆動システムを含む。
【図９Ｂ】図９Ａに例示した波発生装置の一部を単純化した概略図である。
【発明を実施するための形態】
【００１７】
本発明の実施形態は、水域内で波を発生させるための組立体及び方法に関連して本明細書に記載されている。より具体的には、本発明は、水面に沿って１つ又は複数の波を発生させる目的で、水域の水面に対して駆動システムによって例えば直接又は間接的に駆動される波発生装置を含む、波発生組立体及び方法の様々な実施形態を包含する。
【００１８】
当業者は、本発明の以下の詳細な説明が例示に過ぎず、決して限定することを意図しないことを認識するであろう。本発明の他の実施形態は、本開示の利益を有するような当業者に容易に想起されるであろう。次に、添付図面に例示したように、本発明の実装形態について詳しく説明する。同じ又は同様の用語及び／又は参照指標は、同じ又は同様の部分を指すために図面及び以下の詳述を通して使用される。
【００１９】
明確にするために、本明細書に記載した実装形態の通常の特徴の全てが示され記載されているわけではない。当然のことながら、あらゆるこのような実際の実装形態の開発において、適用関連及び業務関連の制約の順守などの開発者の特定の目標を達成するために多くの実装形態の特定の決定を行わなければならず、これらの特定の目標は、実装形態毎及びまた開発者毎に変わることが認識されるであろう。その上、このような開発努力は、複雑で時間が掛かるが、それにもかかわらず、本開示の利益を有する当業者にとって通常の作業であろうことが認識されるであろう。
【００２０】
図１は、本発明の特徴を有する水域１０及び波発生組立体１２を単純化した斜視図である。波発生組立体１２は、自然又は人工であり得るあらゆる適切なタイプの水域１０内で使用され得ることを認識されたい。例えば、波発生組立体１２は、自然湖、人工湖、プール、池、沼、水路又はあらゆる他の適切な水域である水域１０内で使用することができる。波発生組立体１２は、所望の波の発生に悪影響を与える可能性がないように、典型的には自然な流れが少ないか又は自然な流れがない水域１０内で使用されることを更に認識されたい。しかし、波発生組立体１２は、自然な流れがある水域１０内でも使用することができ、波発生組立体１２は、水域１０内に存在するいかなる自然な流れとも連動して波を発生させるように構成することができる。このようにして自然な流れが少ないか又は自然な流れがない水域１０と共に典型的に使用されるような波発生組立体１２の説明は、決して限定することを意図するものではない。
【００２１】
波発生組立体１２の設計は、変えることができる。概説として、様々な実施形態において、波発生組立体１２は、波発生装置２１４（例えば、図２Ａに例示されている）及び駆動システム２１８（例えば、図２Ａに箱として例示されている）を含む。波発生装置２１４は、水域１０の水面１０Ａに沿って少なくとも１つの波１６及び好ましくは複数の波１６を、水面１０Ａに対して水域１０内の水を選択的に動かすことによって発生させる。駆動システム２１８は、波発生装置２１４の作動及び／又は動きを駆動する。加えて、様々な実施形態において、波発生装置２１４及び／又は駆動システム２１８の作動は、波発生組立体１２があらゆる所望の大きさ及び周波数の波を発生させるように制御することができ、すなわち制御システム２２０（図２Ａに箱として示されている）で制御することができる。別の方式で述べると、このような実施形態では、制御システム２２０は、波が所望の時系列で発生するように波発生装置２１４及び／又は駆動システム２１８の作動を制御するように構成することができる。その上、波発生組立体１２での波発生の時系列又は周波数は、あらゆる適切な方式で調節可能である。
【００２２】
特定の実施形態では、波発生組立体１２は、水域１０内で若干中心に位置付けることができ、波発生装置２１４から離れて半径方向外方に複数の方向に、例えば水域１０の周囲に向かって伝搬する複数の波１６を発生させるように構成することができる。波１６の大きさ及び周波数並びに波１６が移動する特定の方向は、波発生組立体１２の特定要件並びに水域１０内に存在する特定の設計及び特徴に依存して変え得ることを認識されたい。加えて、波発生組立体１２は、波発生装置２１４及び駆動システム２１８の作動及び動きを制御する、処理装置及び／又は回路を含む制御システム２２０を含むことができる。別の方式で述べると、一部の実施形態では、本明細書に提供されたように、制御システム２２０は、波発生装置２１４を所望の経路に沿って所望の時系列で動かすために駆動システム２１８を制御する。
【００２３】
特定の実施形態では、例えば図１に例示したように、波発生組立体１２は、波発生組立体１２の様々な特徴、例えば波発生装置２１４及び駆動システム２１８の上に装着するプラットフォーム２２を含むことができ、及び／又はプラットフォーム２２と連動して使用することができる。プラットフォーム２２は、波発生組立体１２の構成要素に接近させるため、且つ波発生組立体１２の構成要素を保護するために波発生組立体１２の上及び／又は周囲に筐体を提供するために使用することができる。プラットフォーム２２は、あらゆる適切な設計を有することができ、プラットフォーム２２を使用する人々に対してプラットフォームをより機能的、安全及び快適にするためのあらゆる様々な特徴を含むことができる。
【００２４】
加えて、示したように、プラットフォーム２２は、海岸線（図１に具体的に例示されていない）又は水域１０の他の周囲から水域１０の一部の上又は一部を通してプラットフォーム２２に延在する１つ又は複数の通路２４、例えば橋、歩道、その他により接近可能にされ得る。
【００２５】
更に、様々な実施形態において、波発生組立体１２は、波１６が波発生装置２１４から離れて水域１０を通して外方に伝搬するとき、波発生装置２１４によって発生される波１６の大きさ、形状、角度及び方向に影響を与え、制御することができる、水域１０内に位置付けられる１つ又は複数の壁、障壁、砂州を生成する機構又は他の特徴（図示せず）を利用することができる。例えば、波発生組立体１２は、異なるタイプ及び大きさの波を異なる観客により適切な異なる方向に発生させるような特徴を利用することができる。より具体的には、一部の実施形態では、波発生組立体１２は、水域１０を同じ大きさ又は異なる大きさの複数の区分に分割するために使用可能な複数の壁１５又は他のタイプの障壁の使用を組み込むことができる。例えば、特定の実施形態では、壁１５又は他の障壁は、水域をそれぞれが同程度の大きさである８個の異なる区分に分割することができる。代わりに、壁１５又は他の障壁は、水域１０を９個以上又は７個以下の区分に分割して使用することができ、その区分は、同様の大きさ又は異なる大きさからなり得る。
【００２６】
図１に示したように、一部のこのような実施形態では、波発生組立体１２は、上級サーファー（すなわち「上級湾（Advanced Bay）」において）、中級サーファー（すなわち「中級湾（Intermediate Bay）」において）、初級サーファー又はサーファーではない人（すなわち「家族初心者（Family Beginner）」領域において）及びブギーボーダー（すなわち「ブギーボード（Boogie Board）」領域において）に最も適した波１６を発生させるような特徴を使用する（及び／又は一般的な設計を有する）ことができる。加えて、水域１０内のそれぞれの異なる領域、又は区画、又は湾は、波発生組立体１２からあらゆる所望の距離まで離れて延在することができる。例えば、特定の非排他的な実施形態では、水域１０内のそれぞれの領域、又は区分、又は湾は、波発生組立体１２から約１００メートル〜３００メートル離れて延在するように構成することができる。代わりに、水域１０内のそれぞれの領域、又は区分、又は湾は、波発生組立体１２から約３００メートル超又は１００メートル未満離れて延在することができる。
【００２７】
しかし、波発生組立体１２は、異なるタイプ及び大きさの波を発生させるように構成される必要がないことを理解されたい。従って、異なるタイプの波／サーファーのための水域１０内の異なる領域の例示は、決して限定することを意図するものではない。
【００２８】
図２Ａは、水域１０（図１に例示されている）の水面２１０Ａ（図２Ｂに例示されている）に沿って１つ又は複数の波２１６（図２Ｂに例示されている）を発生させるように構成された、図１に例示した波発生組立体２１２の一実施形態の一部の斜視図である。本明細書に提供されたように且つまた上記のように、波発生組立体２１２の設計は、変えることができる。図２Ａに示したように、波発生組立体２１２は、波発生装置２１４、駆動システム２１８及び制御システム２２０を含むことができる。波発生組立体２１２のこれらの構成要素のそれぞれの設計は、波発生組立体２１２及び波発生組立体２１２を最も使用する可能性のある人々の特定の設計要件に適するために変えることができる。加えて、波発生組立体２１２は、図２Ａに具体的に例示した構成要素より多くの構成要素又は少ない構成要素を含むように設計することができる。例えば、一部の実施形態では、波発生組立体２１２は、波発生装置２１４からサーフ湾までの波エネルギーを調節することができる１つ又は複数の可動障壁（例えば、図８Ａに例示した可動障壁８５０を参照されたい）を含むことができる。
【００２９】
波発生装置２１４の設計は、変えることができる。例えば、特定の代替実施形態では、波発生装置２１４は、プランジャ型波発生装置、ピストン型波発生装置、ピストン型ブイ波発生装置、空気圧縮型波発生装置、揚水型波発生装置又は別の適切なタイプの波発生装置であり得る。図２に例示した実施形態では、波発生装置２１４は、発生装置シャフト２２６及び発生装置頭部２２８を含むプランジャ型波発生装置である。
【００３０】
特定の実施形態では、発生装置シャフト２２６は、波発生組立体２１２の作動中に駆動システム２１８によって係合される、例えば押されるか又は引かれるように構成されて位置付けられる。代わりに、他の実施形態では、発生装置シャフト２２６は、波発生組立体２１２の作動中に別の方式で回転するか又は動くことができる。
【００３１】
加えて、発生装置シャフト２２６は、あらゆる適切な大きさ及び形状を有することができる。例えば、特定の実施形態では、発生装置シャフト２２６は、実質的に円形、長方形、正方形、三角形又は別の適切な形状である断面形状を有することができる。
【００３２】
発生装置頭部２２８の大きさ、形状及び設計は、発生する波２１６のタイプ及び大きさ並びに発生装置頭部２２８が波発生組立体２１２の作動中に水面２１０Ａに対して位置付けられるべき場所に依存して変えることができる。発生装置頭部２２８は、発生装置シャフト２２６に接続し（及び／又は発生装置シャフト２２６と一体形成され）、発生装置シャフト２２６から離れて延在する。例示したように、発生装置頭部２２８は、発生装置シャフト２２６に接続される近位端２２８Ａ及び反対側の遠位端２２８Ｂを含む。加えて、この実施形態では、発生装置頭部２２８は、発生装置頭部２２８の遠位端２２８Ｂにおいて、遠位端２２８Ｂに隣接して、又は遠位端２２８Ｂ付近に少なくとも１つの波生成面２３０を含む。例えば、特定の非排他的な実施形態では、少なくとも１つの波生成面２３０は、すなわち発生装置頭部２２８の本体２２８Ｃに対して平坦な、傾斜した又は丸みを帯びた面を含むことができ、その面は、水面２１０Ａにおける又は水面２１０Ａ付近の水を移動させるように構成される。
【００３３】
更に、記載したように、発生装置頭部２２８は、あらゆる適切な形状を有することができる。例えば、特定の実施形態では、発生装置頭部２２８は、実質的に円形、楕円形、長方形、正方形、台形、三角形又は別の適切な形状である断面形状を有することができる。
【００３４】
発生装置頭部２２８及び／又は波発生装置２１４は、あらゆる適切な材料から形成することができる。加えて、一部の実施形態では、発生装置頭部２２８及び／又は波発生装置２１４は、水域１０内で特定の浮力（すなわち正浮力）を有するように形成することができる。例えば、一部のこのような実施形態では、発生装置頭部２２８及び／又は波発生装置２１４は、所望の浮力を提供するために中空構造として形成することができる。別の方式で述べると、波発生装置２１４は、波発生装置２１４が使用される水の密度より低い密度を有することができる。例えば、特定の非排他的な実施形態では、波発生装置２１４は、波発生装置２１４が使用される水の密度より約ゼロパーセント〜４０パーセント低い密度を有することができる。代わりに、波発生装置２１４は、波発生装置２１４が使用される水の密度より４０パーセントを超える低い密度を有することができる。そのため、波発生装置２１４と水との間の密度の差の範囲は、決して限定することを意図するものではない。
【００３５】
この設計、すなわち正浮力の発生装置頭部２２８及び／又は波発生装置２１４では、波発生装置２１４が特定の平衡点より下の水面２１０Ａに対してある深さにあるとき、浮力は、波発生装置２１４を水面２１０Ａに向かって駆動する傾向がある。一部の実施形態では、これは、駆動システム２１８によって要求され得るエネルギーを低減する可能性があり、このようにして波発生組立体２１２に必要な全出力を下げる可能性がある。１つの非排他的な代替実施形態では、波発生装置２１４は、負浮力を有する、すなわち波発生装置２１４が使用される水の密度より高い密度を有するように構成することができるため、波発生装置２１４は、波発生装置２１４に外力が掛からない場合、当然のように水域１０内に沈むであろう。
【００３６】
本明細書に提供されたように、駆動システム２１８は、波発生装置２１４を係合し、所望の経路に沿って波発生装置２１４を動かすように構成されるため、波発生装置２１４は、所望の波２１６を発生させることができる。駆動システム２１８の設計は、変えることができる。図２Ａに示した実施形態では、駆動システム２１８は、波発生装置２１４の所望の動きを生成するために、波発生装置２１４、すなわちこの実施形態では発生装置シャフト２２６を実質的に直接係合する、例えば押し及び／又は引く直接駆動システムである。加えて、特定の非排他的な実施形態では、駆動システム２１８は、油圧駆動モータ、空気圧駆動モータ、リニア同期モータ駆動システム又は別の適切なタイプのアクチュエータを含むことができる。代わりに、駆動システム２１８は、異なる設計を有することができる。例えば、１つの非排他的な代替実施形態では、駆動システム２１８は、波発生装置２１４を間接的に係合する枢動型駆動システムであり得る。更に代わりに、駆動システム２１８は、別の適切な設計を有することができる。
【００３７】
図２Ｂは、図２Ａに例示した波発生組立体２１２の一部を単純化した概略図である。より具体的には、図２Ｂは、水面２１０Ａに沿って１つ又は複数の波２１６を発生させる目的で波発生組立体２１２の一般的な作動を例示する。
【００３８】
示したように、波発生組立体２１２の作動中、駆動システム２１８（箱として例示されている）は、波発生装置２１４が第１位置（実線で描かれている）と第２位置（破線で描かれている）との間で実質的に直線的に（且つ垂直に）動くように波発生装置２１４を駆動する例えば発生装置シャフト２２６を押すか又は引く。代わりに、第１位置と第２位置との間の波発生装置２１４の動きは、実質的に垂直以外であり得、例えば、動きは、垂直に対して傾斜し得ることを認識されたい。
【００３９】
具体的には、波発生装置２１４が第１位置から第２位置に動かされるとき、少なくとも１つの波生成面２３０は、波発生装置２１４から離れて概ね外方向に半径方向に伝搬する少なくとも１つの波２１６を発生させるように、水面２１０Ａにおける又は水面２１０Ａ付近の水を押し及び／又は移動させる。その後、駆動システム２１８は、波発生装置２１４を第１位置に戻すために、例えば発生装置シャフト２２６を引くか又は押すことにより利用することができる。次いで、作動は、第１位置から第２位置に動くたびに、水域１０の水面２１０Ａに沿って波発生装置２１４から離れて概ね外方向に半径方向に伝搬する少なくとも１つの波２１６を発生させるように、必要に応じた回数及び所望の周波数で繰り返すことができる。
【００４０】
この実施形態に例示したように、第１位置では、発生装置頭部２２８、すなわち発生装置頭部２２８の遠位端２２８Ｂは、水面２１０Ａの下の一定距離（数センチメートル〜２、３メートルの範囲）に位置付けられる。例えば、一部の非排他的な代替実施形態では、発生装置頭部２２８の遠位端２２８Ｂは、波発生装置２１４が第１位置にあるとき、水面２１０Ａの約５メートル〜１０メートル下に位置付けることができる。加えて、第２位置では、発生装置頭部２２８、すなわち発生装置頭部２２８の遠位端２２８Ｂは、水面２１０Ａと実質的に一致するか（ほぼ水面２１０Ａ）、又は水面２１０Ａの真下、例えば水面２１０Ａの約１〜１０センチメートル下の範囲内に位置付けられる。代わりに、発生装置頭部２２８は、第１位置又は第２位置のいずれにおいても水面２１０Ａに対して異なる方式で位置付けることができる。例えば、一部の非排他的な代替実施形態では、発生装置頭部２２８は、第１位置又は第２位置のいずれにおいても水面２１０Ａの上に位置付けることができる。少なくとも１つの波生成面２３０は、所望の波２１６を発生させるために第１位置と第２位置との間で動いている間のある時点で水を係合する、例えば押して移動させるように位置付けられることが必要であるに過ぎない。
【００４１】
波発生装置２１４が第１位置にあるとき、発生装置頭部２２８の遠位端２２８Ｂが水面２１０Ａの約５メートル〜１０メートル下に位置付けられ、波発生装置２１４が第２位置にあるとき、発生装置頭部２２８の遠位端２２８Ｂがほぼ水面２１０Ａに位置付けられる一実施形態では、波発生装置２１４は、所望の経路に沿って約５メートル〜１０メートルの動きのストロークを有し得ることを認識されたい。代わりに、第１位置と第２位置との間の波発生装置２１４の動きのストロークは、１０メートル超又は５メートル未満であり得る。
【００４２】
要するに、本明細書に述べたように、駆動システム２１８は、波発生装置２１４を係合し、所望の経路に沿って、すなわち第１位置から第２位置に波発生装置２１４を動かすように構成されるため、波発生装置２１４は、所望の波２１６を発生させることができる。
【００４３】
加えて、上記のように、制御システム２２０は、駆動システム２１８及び波発生装置２１４の作動及び動きを制御するために１つ又は複数の処理装置及び／又は回路を含むことができる。例えば、特定の実施形態では、制御システム２２０は、波２１６が所望の方向に所望の周波数で生成されるように、波発生装置２１４を第１位置と第２位置との間で所望の時系列で動かすために駆動システム２１８を制御するように構成される。
【００４４】
図３は、波発生装置３１４の別の実施形態を単純化した概略図である。この実施形態に例示したように、波発生装置３１４は、図２に例示した波発生装置２１４と設計及び機能が若干類似している。例えば、波発生装置３１４も、やはり発生装置シャフト３２６及び発生装置頭部３２８を含むプランジャ型波発生装置であり、波発生装置３１４も、やはり駆動システムにより、例えば駆動システム２１８（図２に例示されている）により直接的に、図７に例示したような駆動システム７１８により間接的に、又は図９Ａに例示したような駆動システム９１８により間接的に第１位置（実線で描かれている）と第２位置（破線で描かれている）との間で直線的に（且つ垂直に）動かされる。しかし、この実施形態では、発生装置頭部３２８は、若干異なる設計を有し、波発生装置３１４に対する第１位置及び第２位置は、前の実施形態と若干異なる。
【００４５】
発生装置頭部３２８も、やはり発生装置シャフト３２６に接続され（及び／又は発生装置シャフト３２６と一体形成され）、発生装置シャフト３２６から離れて延在する。加えて、この実施形態では、図３に示したように、発生装置頭部３２８も、やはり発生装置シャフト３２６に接続される近位端３２８Ａ及び反対側の遠位端３２８Ｂを含む。更に、例示したように、発生装置頭部３２８は、少なくとも１つの第１波生成面３３０Ａ、例えば発生装置頭部３２８の本体３２８Ｃに対して傾斜した、平坦な又は丸みを帯びた面を発生装置頭部３２８の遠位端３２８Ｂにおいて、遠位端３２８Ｂに隣接して、又は遠位端３２８Ｂ付近に、及び少なくとも１つの第２波生成面３３０Ｂ、例えば発生装置頭部３２８の本体３２８Ｃに対して傾斜した、平坦な又は丸みを帯びた面を発生装置頭部３２８の近位端３２８Ａにおいて、近位端３２８Ａに隣接して、又は近位端３２８Ａ付近に含む。
【００４６】
この設計では、前の実施形態に若干類似して、駆動システム２１８、７１８、９１８は、波発生装置３１４が第１位置と第２位置との間で実質的に直線的に動くように波発生装置３１４を駆動する例えば発生装置シャフト３２６を押すか又は引く。具体的には、波発生装置３１４が第１位置から第２位置に動かされるとき、少なくとも１つの第１波生成面３３０Ａは、波発生装置３１４から離れて概ね外方向に半径方向に伝搬する少なくとも１つの波３１６を発生させるように、水面３１０Ａにおける又は水面３１０Ａ付近の水を押し及び／又は移動させる。その後、一時的に、例えば約５〜１５秒間又は別の適切な時間停止した後、駆動システム２１８は、波発生装置３１４を第２位置から第１位置に動いて戻すために、例えば発生装置シャフト３２６を引くか又は押すことによって利用することができる。波発生装置３１４が第２位置から第１位置に動いて戻ると、少なくとも１つの第２波生成面３３０Ｂは、波発生装置３１４から離れて概ね外方向に半径方向に伝搬する少なくとも１つの波３１６を発生させるように、水面３１０Ａにおける又は水面３１０Ａ付近の水を押し及び／又は移動させる。次いで、作動は、第１位置から第２位置に動くたびに少なくとも１つの波３１６を発生させ、第２位置から第１位置に動いて戻るたびに少なくとも１つの波３１６を発生させるように、必要に応じた回数及び所望の周波数で繰り返すことができる。このようにしていずれかの方向に動いている間、波発生装置３１４は、水域１０（図１に例示されている）の水面３１０Ａに沿って波発生装置３１４から離れて概ね外方向に半径方向に伝搬する少なくとも１つの波３１６を発生させる。
【００４７】
この実施形態に例示したように、第１位置では、発生装置頭部３２８、すなわち発生装置頭部３２８の遠位端３２８Ｂは、水面３１０Ａの下の一定距離（数センチメートル〜２、３メートルの範囲）に位置付けることができる。加えて、第２位置では、発生装置頭部３２８、すなわち発生装置頭部３２８の近位端３２８Ａ（及び発生装置シャフト３２６の少なくとも一部）は、水面３１０Ａの上に位置付けることができる。例えば、特定の非排他的な実施形態では、発生装置頭部３２８は、波発生装置３１４が第２位置にあるとき、水面３１０Ａの数センチメートル〜２、３メートル上に位置付けることができる。
【００４８】
代わりに、発生装置頭部３２８は、第１位置又は第２位置のいずれにおいても水面３１０Ａに対して異なる方式で位置付けることができる。例えば、一部の非排他的な代替実施形態では、発生装置頭部３２８は、第１位置と第２位置との間で動いている間に水面３１０Ａを特に破壊する必要はない。少なくとも１つの第１波生成面３３０Ａは、第１位置から第２位置に動いている間のある時点で水面３１０Ａにおける又は水面３１０Ａ付近の水を係合する、例えば押して移動させるように位置付けられ、少なくとも１つの第２波生成面３３０Ｂは、第２位置から第１位置に動いている間のある時点で水面３１０Ａにおける又は水面３１０Ａ付近の水を係合する、例えば押して移動させるように位置付けられることが所望の波３１６を発生させるために必要であるに過ぎない。
【００４９】
本明細書で利用する場合、用語「第１波生成面」及び「第２波生成面」は、例示に便利で容易であるために過ぎず、いずれの波生成面３３０Ａ、３３０Ｂも「第１波生成面」又は「第２波生成面」と呼ぶことができる。
【００５０】
図４は、波発生装置４１４のなおも別の実施形態を単純化した概略図である。この実施形態では、波発生装置４１４は、水面４１０Ａに沿って少なくとも１つの波４１６を発生又は生成するためにピストン４３２、第１（内部）円筒４３４及び第２（外部）円筒４３６を含むピストン型波発生装置である。
【００５１】
この実施形態に示したように、ピストン４３２は、駆動システム、例えば駆動システム２１８（図２に例示されている）、駆動システム７１８（図７に例示されている）又は駆動システム９１８（図９Ａに例示されている）により、第１（内部）円筒４３４内の第１位置（実線で描かれている）と第２位置（破線で描かれている）との間で実質的に直線的に（且つ垂直に）動かされ及び／又は駆動される。代わりに、第１位置と第２位置との間のピストン４３２の動きは、実質的に垂直以外であり得、例えば、動きは、垂直に対して傾斜し得ることを理解されたい。
【００５２】
例示したように、第１円筒４３４は、第１（上）端部４３４Ａを水面４１０Ａの上に、第２（下）端部４３４Ｂを水面４１０Ａの下にして位置付けられる。加えて、第１円筒４３４は、少なくとも部分的に第２円筒４３６内に位置付けられる。更に、第２円筒４３６は、実質的に完全に水中に位置付けられ、すなわち、上縁部４３６Ａは、ほぼ水面４１０Ａ（例えば、水面４１０Ａの数センチメートル以内）にある。
【００５３】
第１位置では、ピストン４３２は、水面４１０Ａの上に、且つ第１円筒４３４の第１端部４３４Ａ付近に位置付けられる。続いて、第２位置では、ピストン４３２は、水面４１０Ａにおいて又は好ましくは水面４１０Ａの下に、且つ第１円筒４３４の第２端部４３４Ｂ付近に位置付けられる。作動中、駆動システム２１８、７１８、９１８は、ピストン４３２を第１円筒４３４内に第１位置から第２位置に下方に動かすか又は駆動する。ピストン４３２のこのような動きは、水を第１円筒４３４から出して且つ第２円筒４３６の下部４３６Ｂ（基部４３６Ｃ付近）内に駆動する。水が第２円筒４３６の下部４３６Ｂ内に押し込まれると、第２円筒４３６の基部４３６Ｃは、水の方向を変え、水を第１円筒４３４の外側で第２円筒４３６の外縁部４３６Ｄに向かって概ね上方の方向に押し上げる（すなわち駆動する）。具体的には、水は、第２円筒４３６の下部４３６Ｂ内に押し込まれ、続いて基部４３６Ｃにより、第１円筒４３４の外側で第２円筒４３６の外縁部４３６Ｄに向かって概ね上方の方向に向きを変えられる。水は、水が第２円筒４３６の外縁部４３６Ｄに向かって上方に且つ第２円筒４３６の上縁部４３６Ａを超えて第２円筒から出て波発生装置４１４から離れて、すなわち円筒４３４、４３６から離れて動くように駆動される。この水の動きは、水面４１０Ａに沿って波発生装置４１４から離れて半径方向に伝搬する少なくとも１つの波４１６を発生又は生成する。
【００５４】
少なくとも１つの波４１６が生成された後、駆動システム２１８、７１８、９１８は、次いで、ピストン４３２を第２位置から第１位置に戻して動かすか又は駆動し、それにより、水は、第２円筒４３６及び第１円筒４３４に再度入ることができる。次いで、工程は、水面４１０Ａに沿って追加の波４１６を引き続き発生又は生成するために所望の周波数で繰り返すことができる。
【００５５】
本明細書で利用する場合、用語「第１円筒」及び「第２円筒」は、例示に便利で容易であるために過ぎず、いずれの円筒４３４、４３６も「第１円筒」又は「第２円筒」と呼ぶことができる。加えて、用語「第１端部」及び「第２端部」も、例示に便利で容易であるために過ぎず、いずれの端部４３４Ａ、４３４Ｂも第１円筒４３４の「第１端部」又は「第２端部」と呼ぶことができる。
【００５６】
図５は、波発生装置５１４のなおも別の実施形態を単純化した概略図である。この実施形態では、波発生装置５１４も、やはりピストン型波発生装置である。図５に示したように、波発生装置５１４は、水面５１０Ａに沿って少なくとも１つの波５１６を発生又は生成するためにピストン５３２及び円筒５３４を含む。
【００５７】
この実施形態に示したように、ピストン５３２は、駆動システム、例えば駆動システム２１８（図２に例示されている）、駆動システム７１８（図７に例示されている）又は駆動システム９１８（図９Ａに例示されている）により、円筒５３４内の第１位置（実線で描かれている）と第２位置（破線で描かれている）との間で実質的に直線的に（且つ垂直に）動かされ及び／又は駆動される。加えて、円筒５３４は、第１（上）端部５３４Ａを水面５１０Ａにおいて、水面５１０Ａに隣接して、水面５１０Ａ付近に、又は水面５１０Ａの真下（例えば水面５１０Ａの約１〜１０センチメートル以内）に、且つ第２（下）端部５３４Ｂを水面５１０Ａの下（例えば、円筒５３４の長さに依存して数センチメートル〜数メートル下の範囲）に位置付けられる。例えば、一部の非排他的な代替実施形態では、円筒５３４の第２（下）端部５３４Ｂは、水面５１０Ａの約５メートル〜１５メートル下に位置付けることができる。このような実施形態では、円筒５３４は、約５メートル〜１５メートルの長さを有することができる。代わりに、円筒５３４の第２（下）端部５３４Ｂは、水面５１０Ａに対して異なる方式で位置付けることができ、及び／又は円筒５３４は、上記以外の異なる長さを有することができる。
【００５８】
第１位置では、ピストン５３２は、円筒５３４の第２端部５３４Ｂ付近に位置付けられる。別の方式で述べると、一部の実施形態では、ピストン５３２は、ピストン５３２が第１位置にあるとき、水面５１０Ａの約５メートル〜１５メートル下に位置付けることができる。続いて、第２位置では、ピストン５３２は、円筒５３４の第１端部５３４Ａ付近に位置付けられる。別の方式で述べると、特定の実施形態では、ピストン５３２は、ピストン５３２が第２位置にあるとき、水面５１０Ａにおいて、水面５１０Ａに隣接して、水面５１０Ａ付近に、又は水面５１０Ａの真下（例えば水面５１０Ａの約１〜１０センチメートル以内）に位置付けることができる。
【００５９】
作動中、駆動システム２１８、７１８、９１８は、ピストン５３２を円筒５３４内で第１位置から第２位置に上方に動かすか又は駆動する。ピストン５３２のこのような動きは、水を円筒５３４から駆動して出し、水は、円筒５３４の第１端部５３４Ａから出て、波発生装置５１４から離れて、すなわち円筒５３４から離れて放出される。従って、水のこのような動きは、水面５１０Ａに沿って波発生装置５１４から離れて半径方向に伝搬する少なくとも１つの波５１６を発生又は生成する。
【００６０】
少なくとも１つの波５１６が生成された後、駆動システム２１８、７１８、９１８は、次いで、ピストン５３２を第２位置から第１位置に戻すように動かすか又は駆動し、それにより、水は、円筒５３４に再度入ることができる。次いで、工程は、水面５１０Ａに沿って追加の波５１６を引き続き発生又は生成するために所望の周波数で繰り返すことができる。
【００６１】
図６は、波発生装置６１４のなおも別の実施形態を単純化した概略図である。この実施形態における波発生装置６１４も、やはりピストン型波発生装置である。例示したように、波発生装置６１４は、図４に関して例示し、記載した波発生装置４１４に若干類似している。例えば、波発生装置６１４も、やはり水面６１０Ａに沿って少なくとも１つの波６１６を発生又は生成するためにピストン６３２、第１（内部）円筒６３４及び第２（外部）円筒６３６を含む。しかし、この実施形態では、波発生装置６１４は、第２（外部）円筒６３６内に形成された少なくとも１つの孔６３８を更に含む。
【００６２】
示したように、ピストン６３２は、駆動システム、例えば駆動システム２１８（図２に例示されている）、駆動システム７１８（図７に例示されている）又は駆動システム９１８（図９Ａに例示されている）により、第１（内部）円筒６３４内の第１位置（実線で描かれている）と第２位置（破線で描かれている）との間で実質的に直線的に（且つ垂直に）動かされ及び／又は駆動される。この実施形態では、第１円筒６３４は、第１（上）端部６３４Ａを水面６１０Ａの上に、第２（下）端部６３４Ｂを水面６１０Ａの下にして位置付けられる。加えて、第１円筒６３４は、少なくとも部分的に第２円筒６３６内に位置付けられる。更に、第２円筒６３６は、部分的に水中に位置付けられ、すなわち、下部６３６Ｂは、水中に位置付けられ、上縁部６３６Ａは、水面４１０Ａの上に延在する。なおも更に示したように、少なくとも１つの孔６３８は、少なくとも１つの孔６３８がほぼ水面６１０Ａにおいて又は水面６１０Ａに実質的に隣接して位置付けられるように、第２円筒６３６の外縁部６３６Ｄ内に形成される。
【００６３】
第１位置では、ピストン６３２は、水面６１０Ａの上に、且つ第１円筒６３４の第１端部６３４Ａ付近に位置付けられる。続いて、第２位置では、ピストン６３２は、水面６１０Ａにおいて又は好ましくは水面６１０Ａの下に、且つ第１円筒６３４の第２端部６３４Ｂ付近に位置付けられる。作動中、駆動システム２１８、７１８、９１８は、ピストン６３２を第１円筒６３４内に第１位置から第２位置に下方に動かすか又は駆動する。ピストン６３２のこの動きは、水を第１円筒６３４から出して且つ第２円筒６３６の下部６３６Ｂ（基部６３６Ｃ付近）内に駆動する。水が第２円筒６３６の下部６３６Ｂ内に押し込まれると、第２円筒６３６の基部６３６Ｃは、水の方向を変え、水を第１円筒６３４の外側で第２円筒６３６の外縁部６３６Ｄに向かって概ね上方の方向に押し上げる（すなわち駆動する）。具体的には、水は、第２円筒６３６の下部６３６Ｂ内に押し込まれ、続いて基部６３６Ｃにより、第１円筒６３４の外側で第２円筒６３６の外縁部６３６Ｄに向かって概ね上方の方向に向きを変えられる。水は、水が第２円筒６３６の外縁部６３６Ｄに向かって上方に動き、少なくとも１つの孔６３８を通して第２円筒６３６から出て、波発生装置６１４から離れて、すなわち円筒６３４、６３６から離れて動くように駆動される。水のこの動きは、水面６１０Ａに沿って波発生装置６１４から離れて半径方向に伝搬する少なくとも１つの波６１６を発生又は生成する。
【００６４】
少なくとも１つの波６１６が生成された後、駆動システム２１８は、次いで、ピストン６３２を第２位置から第１位置に戻すように動かすか又は駆動し、それにより、水は、第２円筒６３６及び第１円筒６３４に再度入ることができる。次いで、工程は、水面６１０Ａに沿って追加の波６１６を引き続き発生又は生成するために所望の周波数で繰り返すことができる。
【００６５】
図７は、駆動システム７１８の代替実施形態を含む、波発生組立体７１２の別の実施形態の一部を単純化した概略図である。例示したように、駆動システム７１８も、やはり波発生装置７１４（図７に箱として例示されている）を係合し、波発生装置７１４を所望の経路に沿って、例えば水域１０（図１に例示されている）の水面７１０Ａに対して第１位置（実線で描かれている）と第２位置（破線で描かれている）との間で実質的に垂直方向に動くように構成される。しかし、この実施形態では、示したように、駆動システム７１８は、波発生装置７１４の動きを間接的に動かすか又は駆動するように構成される。具体的には、駆動システム７１８は、枢動支持部７４２によって支持される枢動アーム７４０を介して波発生装置７１４に結合される。
【００６６】
特定の実施形態では、枢動アーム７４０は、実質的に長方形の棒形状であり得、枢動アーム７４０は、可動、例えば枢動可能に枢支点７４４で枢動支持部７４２に結合することができる。例示したように、枢支点７４４は、枢動アーム７４０の長さに沿って実質的に中心に配置することができる。代わりに、枢支点７４４は、枢動アーム７４０の長さに沿って実質的に中心以外に配置することができる。更に代わりに、枢動アーム７４０は、別の適切な設計又は別の適切な形状を有することができる。
【００６７】
加えて、示したように、駆動システム７１８は、枢動アーム７４０の第１端部７４０Ａにおいて又は第１端部７４０Ａ付近で枢動アーム７４０に結合され、波発生装置７１４は、枢動アーム７４０の第２端部７４０Ｂにおいて又は第２端部７４０Ｂ付近で枢動アーム７４０に結合される。この設計では、駆動システム７１８が枢動アーム７４０の第１端部７４０Ａを概ね上方の方向に動かすか、押すか又は引くと、枢動アーム７４０は、枢支点７４４を中心に枢動するため、第２端部７４０Ｂは、下に枢動し、従って波発生装置７１４を概ね下（垂直）方向に、すなわち第１位置から第２位置に動かすか又は駆動する。逆に、駆動システム７１８が枢動アーム７４０の第１端部７４０Ａを概ね下方の方向に動かすか、引くか又は押すと、枢動アーム７４０は、枢支点７４４を中心に枢動するため、第２端部７４０Ｂは、上に枢動し、従って波発生装置７１４を概ね上（垂直）方向に、すなわち第２位置から第１位置に戻すように動かすか又は駆動する。上に詳しく論じた実施形態に例示したように、波発生装置７１４の上下運動により、水面７１０Ａに沿って少なくとも１つの波７１６を発生又は生成する。
【００６８】
本明細書で利用する場合、用語「第１端部」及び「第２端部」は、例示に便利で容易であるために過ぎず、いずれの端部７４０Ａ、７４０Ｂも枢動アーム７４０の「第１端部」又は「第２端部」と呼ぶことができる。
【００６９】
図８Ａは、波発生組立体、例えば図２Ａに例示した波発生組立体２１２又は図７に例示した波発生組立体７１２の一部として含まれ得る複数の可動障壁８５０を単純化した概略側面図である。加えて、図８Ｂは、図８Ａに例示した複数の可動障壁８５０を単純化した概略上面図であり、複数の可動障壁８５０は、波発生装置８１４（図８Ｂに円形として例示されている）を実質的に取り囲むように位置付けられている。可動障壁８５０は、本明細書で上に詳しく記載されたように波発生装置８１４のあらゆる設計と連動して使用され得ることを認識されたい。
【００７０】
本明細書に提供されたように、複数の可動障壁８５０は、波発生装置８１４からサーフ湾、例えば図１の水域１０に示したように、「上級湾」、「中級湾」、「家族初心者」、「ブギーボード」までの波エネルギー、従って波の大きさを調節するために使用することができる。作動中、可動障壁８５０は、波発生装置８１４からの波エネルギーをそのように調節するために水面８１０Ａ（図８Ａに示されている）に対して実質的に垂直方向に選択的且つ個別に動くことができる。概して可動障壁８５０が水面８１０Ａから離れて、例えば可動障壁８５０の中心が水面８１０Ａから更に離れて動くことにより、より多い波エネルギー、従ってより大きい波を水面８１０Ａに沿って波発生装置８１４から離れて伝搬することができる。逆に、可動障壁８５０が水面８１０Ａに向かって、例えば可動障壁８５０の中心が水面８１０Ａにより接近するように動くことにより、より少ない波エネルギー、従ってより小さい波を水面８１０Ａに沿って波発生装置８１４から離れて伝搬することができる。
【００７１】
可動障壁８５０は、波発生装置８１４から離れてあらゆる方向に伝搬する波発生装置８１４からの波エネルギーの全て又は一部を遮断するか又は全く遮断しないように位置付けられ得ることを認識されたい。例えば、可動障壁８５０が波発生装置８１４から任意の所与の方向への波エネルギーの全てを遮断するように位置付けられている場合、波は、水面８１０Ａに沿ってその方向に伝搬することを抑制される。
【００７２】
加えて、一部の実施形態では、可動障壁８５０は、例えば、保守目的で波発生装置８１４にドライアクセスするために波発生装置８１４に直接隣接した水を除去できるように、水域１０から波発生装置８１４を切り離す（且つ封止する）ために使用することもできる。
【００７３】
可動障壁８５０の設計は、変えることができる。例えば、特定の非排他的な実施形態では、可動障壁８５０は、波発生装置８１４からサーフ湾内への波エネルギーの動きを選択的に可能にするか又は抑制するために、その動きを水面８１０Ａから離れて又は水面８１０Ａに向かって、例えば実質的に垂直に案内することができる車輪付きゲート又はスライドゲートを含むことができる。代わりに、可動障壁８５０は、異なる設計を有することができ、及び／又は異なる方式で動くように案内することができる。
【００７４】
加えて、可動障壁８５０の数も変えることができる。例えば、図８Ｂに示したように、波発生組立体２１２、７１２は、波発生装置８１４の周囲に八角形のパターンに配置された８個の可動障壁８５０を含むことができる。代わりに、波発生組立体２１２は、異なる数の可動障壁８５０、例えば波発生装置８１４の周囲に異なるパターンに配置された４、５、６、７、９又は１０個の可動障壁８５０を含むことができる。
【００７５】
図９Ａは、波発生組立体９１２の更に別の実施形態の一部を単純化した概略図である。例示したように、波発生組立体９１２は、図７に関して上に例示し説明した波発生組立体７１２に若干類似している。より具体的には、波発生組立体９１２も、やはり水面９１０Ａに対して第１位置（実線で描かれている）と第２位置（破線で描かれている）との間で波発生装置９１４の動きを所望の経路に沿って、例えば実質的に垂直方向に間接的に動かすか又は駆動するように、波発生装置９１４を間接的に係合するように構成された駆動システム９１８を含む。
【００７６】
図９Ａに示したように、駆動システム９１８も、やはり枢動支持部９４２によって可動に支持される枢動アーム９４０を介して波発生装置９１４に結合される。具体的には、枢動アーム９４０は、枢支点９４４で枢動支持部９４２に可動、例えば枢動可能に結合される。枢支点９４４は、第１端部９４０Ａと反対側の第２端部９４０Ｂとの間で枢動アーム９４０の長さに沿って任意の適切な場所に提供することができる。例えば、図９Ａに示した実施形態では、枢支点９４４は、第２端部９４０Ｂより第１端部９４０Ａに若干接近して位置付けられる。代わりに、枢支点９４４は、枢動アーム９４０の長さに沿って実質的に中心に配置することができ、又は枢支点９４４は、第１端部９４０Ａより第２端部９４０Ｂに若干接近して位置付けることができる。
【００７７】
加えて、例示したように、駆動システム９１８は、第１端部９４０Ａにおいて又は第１端部９４０Ａ付近で枢動アーム９４０に結合され、波発生装置９１４は、第２端部９４０Ｂにおいて又は第２端部９４０Ｂ付近で枢動アーム９４０に結合される。この設計では、図７に示した実施形態に類似して、駆動システム９１８が枢動アーム９４０の第１端部９４０Ａを概ね上方の方向に動かすか、押すか又は引くと、枢動アーム９４０は、枢支点９４４を中心に枢動するため、第２端部９４０Ｂは、下に枢動し、従って波発生装置９１４を概ね下（垂直）方向に、すなわち第１位置から第２位置に動かすか又は駆動する。逆に、駆動システム９１８が枢動アーム９４０の第１端部９４０Ａを概ね下方の方向に動かすか、引くか又は押すと、枢動アーム９４０は、枢支点９４４を中心に枢動するため、第２端部９４０Ｂは、上に枢動し、従って波発生装置９１４を概ね上（垂直）方向に、すなわち第２位置から第１位置に戻るように動かすか又は駆動する。上に詳しく論じた実施形態に例示したように、波発生装置９１４の上下運動により、水面９１０Ａに沿って少なくとも１つの波９１６を発生又は生成する。
【００７８】
図９Ａは、駆動システム９１８のこの特定の実施形態の特定の特徴も例示する。より具体的には、この実施形態では、駆動システム９１８は、延長アーム９６０、円筒９６２及び延長アーム９６０に結合され、円筒９６２内で動くピストン９６４を含むピストン型駆動システムである。代わりに、駆動システム９１８は、別の適切な設計を有することができる。
【００７９】
波発生組立体９１２の使用中、駆動システム９１８のピストン９６４は、円筒９６２内で実質的に直線的に（且つ垂直に）駆動される。具体的には、ピストン９６４が円筒９６２内で概ね上方の方向に動くことにより、延長アーム９６０を同様に上方の方向に押すか又は引くため、枢動アーム９４０は、枢支点９４４を中心に、例えばこの例では反時計回りに枢動する。述べたように、枢動アーム９４０のこの枢動により、波発生装置９１４が概ね下方の方向に動き及び／又は駆動されるため、波発生装置９１４は、波発生装置９１４が第１位置から第２位置に動かされるとき、水を水面９１０Ａに対して係合して移動させる。従って、波発生装置９１４は、水面９１０Ａに沿って少なくとも１つの波９１６を発生又は生成する。逆に、ピストン９６４が円筒９６２内で概ね下方の方向に動くことにより、延長アーム９６０を同様に下方の方向に引くか又は押すため、枢動アーム９４０は、枢支点９４４を中心に、例えばこの例では時計回り方向に枢動する。述べたように、枢動アーム９４０のこの枢動により、波発生装置９１４が概ね上方の方向に動き及び／又は駆動されるため、波発生装置９１４は、第２位置から第１位置に動いて戻る。
【００８０】
この実施形態に例示したように、第１位置では、発生装置頭部９２８、すなわち発生装置頭部９２８の遠位端９２８Ｂは、水面９１０Ａの下の一定距離（数センチメートル〜数メートルの範囲）に位置付けられる。例えば、一部の非排他的な代替実施形態では、発生装置頭部９２８の遠位端９２８Ｂは、波発生装置９１４が第１位置にあるとき、水面９１０Ａの約５メートル〜１０メートル下に位置付けることができる。加えて、第２位置では、発生装置頭部９２８は、水面９１０Ａと実質的に一致するか（ほぼ水面９１０Ａ）、又は水面９１０Ａの真下、例えば水面９１０Ａの約１〜１０センチメートル下の範囲内に位置付けられる。更に、特定の実装形態では、発生装置頭部９２８は、発生装置頭部９２８が第１位置と第２位置との間で動いている間に水面９１０Ａを破壊しないように位置付けられて動くことができる。代わりに、発生装置頭部９２８は、第１位置又は第２位置のいずれにおいても水面９１０Ａに対して異なる方式で位置付けることができる。例えば、一部の非排他的な代替実施形態では、発生装置頭部９２８は、第１位置又は第２位置のいずれにおいても水面９１０Ａの上に位置付けることができる。発生装置頭部９２８は、所望の波９１６を発生させるために第１位置と第２位置との間で動いている間に水面９１０Ａに対して水を係合する、例えば押して移動させるように位置付けられることが必要であるに過ぎない。
【００８１】
加えて、示したように、特定の実施形態では、発生装置頭部９２８は、第１位置と第２位置との間でその動きを案内され得る。例えば、一実施形態では、発生装置頭部９２８は、水中に位置付けられる案内枠９６８によって画定されたチャンバ９６６内で動くように位置付けることができる。このような設計では、波発生装置９１４の発生装置頭部９２８は、第１位置と第２位置との間で水面９１０Ａに対して所望の概ね垂直方向により良好に動くことができる。
【００８２】
図９Ｂは、図９Ａに例示した波発生装置９１４の一部を単純化した概略図である。具体的には、図９Ｂは、発生装置頭部９２８を単純化した概略図である。
【００８３】
特定の実施形態では、上記のように波発生装置９１４は、波発生装置９１４が水面９１０Ａの下（又は水面２１０Ａに対して特定の平衡点より下）にあるとき、波発生装置９１４を水面９１０Ａに向かって押す傾向がある正浮力を有する、すなわち水の密度より少ない密度を備えた浮力として構成することができる。代わりに、波発生装置９１４は、別の適切な設計を有することができる。
【００８４】
加えて、図９Ｂに示したように、波発生装置９１４、すなわち発生装置頭部９２８は、実質的に台形形状である断面形状を有することができる。更に、発生装置頭部９２８の遠位端９２８Ｂは、発生装置頭部９２８の本体９２８Ｃに対して傾斜した複数の波生成面９３０、例えば６個を含むことができる。なおも更に、発生装置頭部９２８の近位端９２８Ａは、水面９１０Ａ（図９Ａに例示されている）に沿って１つ又は複数の波９１６（図９Ａに例示されている）を発生させるために利用することもできる実質的に平面を含むことができる。代わりに、発生装置頭部９２８は、別の適切な形状を有することができる。例えば、特定の非排他的な代替実施形態では、発生装置頭部９２８は、実質的に円形、楕円形、長方形、正方形、三角形又は別の適切な形状である断面形状を有することができる。
【００８５】
波発生組立体１２の多数の異なる実装形態が本明細書に例示され説明されているが、任意の一実施形態の１つ又は複数の特徴は、１つ又は複数の他の実施形態の１つ又は複数の特徴と組み合わされ得ることを理解されたい。但し、このような組合せは、本発明の意図を満足するものとする。
【００８６】
波発生組立体１２の多数の例示的態様及び実施形態が本明細書の上に示され開示されているが、当業者は、特定の修正形態、置換形態、追加形態及びその部分組合せを認識するであろう。従って、波発生組立体は、それらの真の趣旨及び範囲内にあるような全ての修正形態、置換形態、追加形態及び部分組合せを含むと解釈されるべきであることが意図され、示された本明細書の詳細な構造又は設計に限定することを意図するものではない。
【図１】
2020507701.tif 000003
【図２Ａ】
2020507701.tif 000004
【図２Ｂ】
2020507701.tif 000005
【図３】
2020507701.tif 000006
【図４】
2020507701.tif 000007
【図５】
2020507701.tif 000008
【図６】
2020507701.tif 000009
【図７】
2020507701.tif 000010
【図８Ａ】
2020507701.tif 000011
【図８Ｂ】
2020507701.tif 000012
【図９Ａ】
2020507701.tif 000013
【図９Ｂ】
2020507701.tif 000014
【国際調査報告】
2020507701.tif 000015
2020507701.tif 000016
2020507701.tif 000017
2020507701.tif 000018